(57)【要約】【課題】ＦＥＰ管を固定するガイドを設けることで、切断加工時にＦＥＰ管を直線状に切断できると共に、切断器具の回転歯を露出させずに安全に切断作業することができ、更にその作業を短時間で完了させる。【解決手段】ＦＥＰ管ｔの管壁を、その長手方向に直線状に切断する回転刃２を備えた切断器具３と、切断器具３の回転刃２をＦＥＰ管ｔに当てるための開口部１０を有し、ＦＥＰ管ｔを挿通支持する、ＦＥＰ管ｔの外径より長い内径を有する略筒形状のＦＥＰ管ガイド部４と、切断器具３を、ＦＥＰ管ガイド部４の開口部１０に固定する切断器具固定部５とから成り、このＦＥＰ管ｔを略平面状に広げることができる。【選択図】図１
2008178921.tif 000002
【特許請求の範囲】
【請求項１】
ＦＥＰ管（ｔ）を略平面状に広げるために、該ＦＥＰ管（ｔ）を長手方向に分割するＦＥＰ管縦割工具（１）であって、
ＦＥＰ管（ｔ）の管壁を、その長手方向に直線状に切断する回転刃（２）を備えた切断器具（３）と、
前記切断器具（３）の回転刃（２）をＦＥＰ管（ｔ）に当てるための開口部（１０）を有し、該ＦＥＰ管（ｔ）を挿通支持する、ＦＥＰ管（ｔ）の外径より長い内径を有する略筒形状のＦＥＰ管ガイド部（４）と、
前記切断器具（３）を、前記ＦＥＰ管ガイド部（４）の開口部（１０）に固定する切断器具固定部（５）と、から成る、ことを特徴とするＦＥＰ管縦割工具。
【請求項２】
前記切断器具（３）、前記ＦＥＰ管ガイド部（４）と前記切断器具固定部（５）とは、それぞれに分解し、再び組み立て可能に構成したものである、ことを特徴とする請求項１のＦＥＰ管縦割工具。
【請求項３】
前記切断器具固定部（５）は、
板材（１１）にスリットを開け、該スリットから前記切断器具（３）の回転歯（２）を突出させ、
かつ該板材（１１）の両側縁（１１ａ）に、ベルト状部材（１２）の両端部（１２ａ）を掛け止め、該ベルト状部材（１２）を前記ＦＥＰ管ガイド部（４）の外周に巻き付けるものである、ことを特徴とする請求項１のＦＥＰ管縦割工具。
【請求項４】
前記切断器具固定部（５）の板材（１１）の両側縁（１１ａ）に、前記ベルト状部材（１２）の両端部（１２ａ）を、調節ねじ（１３）を介在して掛け止めた、ことを特徴とする請求項３のＦＥＰ管縦割工具。
【請求項５】
前記ＦＥＰ管ガイド部（４）内にＦＥＰ管（ｔ）を挿通させ、該ＦＥＰ管（ｔ）を円滑に切断するために、該ＦＥＰ管（ｔ）の既に切断した断裂面に刺し込む突起（１４）を、該ＦＥＰ管ガイド部（４）の内壁に設けた、ことを特徴とする請求項１又は２のＦＥＰ管縦割工具。
【発明の詳細な説明】
【技術分野】
【０００１】
本発明は、ＦＥＰ管を略平面状に広げて使用するために、このＦＥＰ管をその長手方向に分割するＦＥＰ管縦割工具に関する。
【背景技術】
【０００２】
従来から電気工事、電線工事に際に、ケーブル又は電線等が直接地面につかないように、ＦＥＰ管、即ち波付硬質ポリエチレン管（電線ケーブル可撓管材）を縦割りにして広げたものの上にこれらを置いて作業している。作業現場では、このＦＥＰ管をカッター、丸のこでその長手方向に切断し、略平面状に広げて使用している。
【発明の開示】
【発明が解決しようとする課題】
【０００３】
しかし、作業現場でＦＥＰ管をカッター等の工具を使用して縦割りにする場合、その作業効率が悪く長時間を要するという問題を有していた。また、作業現場での縦割加工時に、ＦＥＰ管の切断部分が曲がったりして材料を無駄にすることがあった。
【０００４】
このＦＥＰ管の切断作業は、作業者が手で加工するため、誤って怪我をするという問題を有していた。特に、このＦＥＰ管の切断作業は、ＦＥＰ管を押さえる人と、このＦＥＰ管を切断する人の少なくとも２名の作業者は必要であり、１人での作業は困難であった。
【０００５】
このような管状部材に関する技術としては、例えば特許文献１の特開２００２−１０３４２５号公報「半割波付管の製造方法」に示すように、半割形状のプレーン管として押し出し、そしてモールドブロックで波形を形成する半割波付管の製造方法が提案されている。しかし、この特許文献１は、作業現場において、ＦＥＰ管をその長手方向に分割して、このＦＥＰ管を略平面状に広げる技術ではなかった。
【特許文献１】特開２００２−１０３４２５号公報
【０００６】
また、特許文献２の実用新案登録第３０１９５８９号公報「ケーブル収容管切断装置」に示すように、回転する切削刃とこの切削刃を駆動させる駆動部を有し、ケーブル収容管上を移動させながらケーブル収容管のみを切断するケーブル収容管切断装置において、ケーブル収容管上に当接する箇所に、移動方向に離隔するとともにケーブル収容管面に沿った曲面を有する２つのガイドローラを設け、このガイドローラ間に、前記切削刃による切削軌跡に追従する切削方向規制部と、ケーブル収容管とケーブルとの間に差し込まれるケーブル保護板とを設けたケーブル収容管切断装置が提案されている。しかし、この特許文献２は、ケーブルを挿通させているケーブル収容管を切断し、内部のケーブルを露出させる技術で、作業現場において、ＦＥＰ管をその長手方向に分割して、このＦＥＰ管を略平面状に広げる技術ではなかった。
【特許文献２】実用新案登録第３０１９５８９号公報
【０００７】
本発明は、かかる問題点を解決するために創案されたものである。すなわち、本発明の目的は、ＦＥＰ管を固定するガイドを設けることで、切断加工時にＦＥＰ管を直線状に切断できると共に、切断器具の回転歯を露出させずに安全に切断作業することができ、更にその作業を短時間で完了させることができるＦＥＰ管縦割工具を提供することにある。
【課題を解決するための手段】
【０００８】
本発明によれば、ＦＥＰ管（ｔ）を略平面状に広げるために、該ＦＥＰ管（ｔ）を長手方向に分割するＦＥＰ管縦割工具（１）であって、前記ＦＥＰ管（ｔ）の管壁を、その長手方向に直線状に切断する回転刃（２）を備えた切断器具（３）と、前記切断器具（３）の回転刃（２）をＦＥＰ管（ｔ）に当てるための開口部（１０）を有し、該ＦＥＰ管（ｔ）を挿通支持する、ＦＥＰ管（ｔ）の外径より長い内径を有する略筒形状のＦＥＰ管ガイド部（４）と、前記切断器具（３）を、前記ＦＥＰ管ガイド部（４）の開口部（１０）に固定する切断器具固定部（５）とから成る、ことを特徴とするＦＥＰ管縦割工具が提供される。
前記切断器具（３）、前記ＦＥＰ管ガイド部（４）と前記切断器具固定部（５）とは、それぞれに分解し、再び組み立て可能に構成したものが好ましい。
【０００９】
例えば、前記切断器具固定部（５）は、板材（１１）にスリットを開け、該スリットから前記切断器具（３）の回転歯（２）を突出させ、かつ該板材（１１）の両側縁（１１ａ）に、ベルト状部材（１２）の両端部（１２ａ）を掛け止め、該ベルト状部材（１２）を前記ＦＥＰ管ガイド部（４）の外周に巻き付けるものである。
前記切断器具固定部（５）の板材（１１）の両側縁（１１ａ）に、前記ベルト状部材（１２）の両端部（１２ａ）を、調節ねじ（１３）を介在して掛け止めることが好ましい。
前記ＦＥＰ管ガイド部（４）内にＦＥＰ管（ｔ）を挿通させ、該ＦＥＰ管（ｔ）を円滑に切断するために、該ＦＥＰ管（ｔ）の既に切断した断裂面に刺し込む突起（１４）を、該ＦＥＰ管ガイド部（４）の内壁に設けることが好ましい。
【発明の効果】
【００１０】
上記構成の発明では、ＦＥＰ管（ｔ）をＦＥＰ管ガイド部（４）の中に挿し込み、その状態で切断器具（３）の回転刃（２）の駆動スイッチ（８）を入れ、回転刃（２）を回転させる。回転刃（２）はＦＥＰ管（ｔ）の管壁に当り、その管壁を切断する。このとき、ＦＥＰ管（ｔ）はその外径より長い内径を有する略筒形状のＦＥＰ管ガイド部（４）で支持されているので、高速回転する回転刃（２）の回転力と振動があっても不用意な動きがなく、安定した状態でＦＥＰ管（ｔ）を長手方向に直線状に切断することができる。この高速回転する回転刃（２）は、切断器具固定部（５）とＦＥＰ管ガイド部（４）により覆われているので、１人で作業するときも安全に切断作業することができる。
【００１１】
切断器具（３）、ＦＥＰ管ガイド部（４）と切断器具固定部（５）とは、それぞれに分解し、再び組み立て可能に構成したＦＥＰ管縦割工具（１）は、コンパクトにして作業現場へ容易に運搬することができる。
【００１２】
前記切断器具固定部（５）の板材（１１）の両側縁（１１ａ）に、ベルト状部材（１２）の両端部（１２ａ）を調節ねじ（１３）を介在して掛け止めたものでは、この調節ねじ（１３）を調節することにより、切断器具固定部（５）をＦＥＰ管ガイド部（４）に常に強固に固定することができる。これにより、切断器具（３）がＦＥＰ管ガイド部（４）上において揺れ動くという不具合を防止することができる。
ＦＥＰ管ガイド部（４）内に突起（１４）を設けたものは、この突起（１４）が既に切断したＦＥＰ管（ｔ）の断裂面に刺し込まれ、その断裂面方向にＦＥＰ管（ｔ）を案内する機能がある。即ち、突起（１４）は、ＦＥＰ管（ｔ）がＦＥＰ管ガイド部（４）内で円周方向に不用意に回転したり、ずれたりすることを防止し、このＦＥＰ管（ｔ）を円滑、かつ安全に切断するための案内をする。
【発明を実施するための最良の形態】
【００１３】
本発明のＦＥＰ管縦割工具は、ＦＥＰ管の管壁を直線状に切断する切断器具と、このＦＥＰ管を挿通支持する略筒形状のＦＥＰ管ガイド部と、このＦＥＰ管ガイド部に切断器具を固定する切断器具固定部とから成るものである。
【実施例１】
【００１４】
以下、本発明の好ましい実施の形態を図面を参照して説明する。
図１は実施例１のＦＥＰ管縦割工具にＦＥＰ管を挿し込んだ状態を示す正面図である。図２はＦＥＰ管縦割工具を示す側面図である。図３はＦＥＰ管縦割工具を示す平面図である。
実施例１のＦＥＰ管縦割工具１は、ＦＥＰ管ｔの管壁を、その長手方向に直線状に切断する回転刃２を備えた切断器具３と、この切断器具３の回転刃２をＦＥＰ管ｔに当てるため、このＦＥＰ管ｔを挿通支持する略筒形状のＦＥＰ管ガイド部４と、このＦＥＰ管ガイド部４に切断器具３を固定する切断器具固定部５とから成る。
【００１５】
切断器具３は、ＦＥＰ管ｔの管壁を、その長手方向に直線状に切断する回転刃２と、この回転刃２を覆うカバー６と、この回転刃２を回転駆動する電動モータ等の駆動部７を備えた電動丸のこである。切断器具３としては、例えば電動丸のこ以外に円盤状のグラインダー（図示していない）を用いることも可能である。この駆動部７には、スイッチ８を具備したハンドル９を取り付けている。
【００１６】
ＦＥＰ管ガイド部４は、切断器具３の回転刃２をＦＥＰ管ｔに当てるため開口部１０を有し、このＦＥＰ管ｔを挿通支持するＦＥＰ管ｔの外径より長い内径を有する略筒形状の部材である。図１の図示例では、このＦＥＰ管ガイド部４は真円の円筒状に形成したものを示しているが、このＦＥＰ管ガイド部４に挿し込んだＦＥＰ管ｔが、高速回転する回転刃２の回転力と振動があっても不用意な動きがなく、安定した状態で支持し、固定することができるものであれば、その形状は真円の円筒状に限定されない。例えば、６角形、８角形の略筒形状に形成したものでもよく、その他の多角の筒形状のものを用いることができる。
【００１７】
この略筒形状のＦＥＰ管ガイド部４の肉厚は、その素材の剛性に応じて決定される。例えば、強度の高い素材であれば薄く形成し、逆のときは厚く形成する。また、ＦＥＰ管ガイド部４の外径の長短に応じて決定される。
【００１８】
この略筒形状のＦＥＰ管ガイド部４の形状は、図２，３に示すように、正確な円筒形状、筒形状に形成する必要はない。例えばＦＥＰ管ｔの入口側又は出口側の外方へ広がるようにテーパーをつけて、ＦＥＰ管ｔを容易に挿し込み、容易に引き出せるような形状にすることができる。即ち、切断器具３の回転刃２がＦＥＰ管ｔに当てる位置を確実に支持する形状であれば、ＦＥＰ管ガイド部４の筒体の形状は図示例に限定されない。
【００１９】
切断器具固定部５は、板材１１にスリットを開け、このスリットから回転歯２を突出させるように切断器具３を固定する部材である。この板材１１に切断器具３を取り付けるときは、切断器具３のカバー６を板材１１にねじ止め、又は溶接する手段等がある。この板材１１の両側縁１１ａには、ベルト状部材１２の両端部１２ａを掛け止め、このベルト状部材１２はＦＥＰ管ガイド部４に巻き付ける。このベルト状部材１２を緊張することにより、切断器具固定部５はＦＥＰ管ガイド部４に強固に固定される。このベルト状部材１２は金属製ベルト、合成樹脂製ベルト、その他の部材からなる。なお、ベルト状部材１２は、ＦＥＰ管ガイド部４に巻き付けることができる部材であれば、このような素材、形状に限定されない。
【００２０】
切断器具固定部５の板材１１の両側縁１１ａに、ベルト状部材１２の両端部１２ａを調節ねじ１３を介在して掛け止める。この調節ねじ１３は、図１に示すように、これを調節することにより、板材１１とＦＥＰ管ガイド部４（開口部１０）との間隔を調節することができる。即ち、ＦＥＰ管ガイド部４に切断器具固定部５を常に強固に固定するようになる。これにより、切断器具３がＦＥＰ管ガイド部４上において揺れ動くという不具合を防止することができる。
【００２１】
切断器具３、ＦＥＰ管ガイド部４と切断器具固定部５とは、それぞれに分解し、再び組み立てるように構成することができる。それぞれの部材に分解すれば、コンパクトにして作業現場へ容易に運搬することができる。作業現場において、それぞれを組み立ててＦＥＰ管ｔの分割作業を行うことができる。
【００２２】
図２に示すように、ＦＥＰ管ガイド部４の内壁に突起１４を設けることができる。この突起１４は、既に切断したＦＥＰ管ｔの断裂面に刺し込まれ、その断裂面方向にＦＥＰ管ｔを案内する機能がある。即ち、突起１４は、ＦＥＰ管ｔがＦＥＰ管ガイド部４内で円周方向に不用意に回転したり、ずれたりすることを防止する機能がある。この突起１４は、図示例のように、ＦＥＰ管ガイド部４の下部２箇所に設ける。この突起１４によりＦＥＰ管ｔを円滑、かつ安全に切断することができる。
なお、この突起１４はＦＥＰ管ガイド部４の内壁から出没自在に構成することが望ましい。
【００２３】
図４はＦＥＰ管縦割工具にＦＥＰ管を挿し込んで縦割する状態を示す平面図である。
本発明では、ＦＥＰ管ｔをＦＥＰ管ガイド部４の中に、矢印に示すように、挿し込み、その状態で切断器具３の回転刃２の駆動スイッチ８を入れ、回転刃２を回転させる。回転刃２はＦＥＰ管ｔの管壁に当り、その管壁を切断する。このとき、ＦＥＰ管ｔは略筒形状のＦＥＰ管ガイド部４で支持されているので、高速回転する回転刃２の回転力と振動があっても不用意な動きがなく、安定した状態でＦＥＰ管ｔをその長手方向に直線状に切断することができる。この高速回転する回転刃２は、切断器具固定部５とＦＥＰ管ガイド部４により覆われているので、１人で作業するときも安全に切断作業することができる。このように分割したＦＥＰ管ｔは、略平面状に広げることができる。
【００２４】
切断作業が終了したら、切断器具３、ＦＥＰ管ガイド部４と切断器具固定部５それぞれの部材に分解してコンパクトな状態で運搬することができる。かつ、倉庫に保管することができる、
【００２５】
なお、本発明は、ＦＥＰ管ｔを固定するＦＥＰ管ガイド部４により、切断加工時にＦＥＰ管ｔを容易に直線状に切断できると共に、切断器具３の回転歯２を露出させずに安全に切断作業することができ、更にその作業を短時間で完了させることができれば、上述した発明の実施の形態に限定されず、本発明の要旨を逸脱しない範囲で種々変更できることは勿論である。
【産業上の利用可能性】
【００２６】
本発明のＦＥＰ管縦割工具は、電気工事、電線工事の際にＦＥＰ管を分割するときに利用することができるが、ＦＥＰ管以外に様々な部材を分割するときにも利用することができる。
【図面の簡単な説明】
【００２７】
【図１】実施例１のＦＥＰ管縦割工具にＦＥＰ管を挿し込んだ状態を示す正面図である。
【図２】ＦＥＰ管縦割工具を示す側面図である。
【図３】ＦＥＰ管縦割工具を示す平面図である。
【図４】ＦＥＰ管縦割工具にＦＥＰ管を挿し込んで縦割する状態を示す平面図である。
【符号の説明】
【００２８】
１  ＦＥＰ管縦割工具
２  回転刃
３  切断器具
４  ＦＥＰ管ガイド部
５  切断器具固定部
１０  開口部
１１  板材
１１ａ  板材の両側縁
１２  ベルト状部材
１２ａ  ベルト状部材の両端部
１３  調節ねじ
１４  突起
ｔ  ＦＥＰ管
【図１】
2008178921.tif 000003
【図２】
2008178921.tif 000004
【図３】
2008178921.tif 000005
【図４】
2008178921.tif 000006